(57)【要約】【課題】整流体の端面に付着した塵埃を容易に取り除くことができる清掃装置を提供する。【解決手段】本発明にかかる清掃装置の適用対象である整流体９０は、複数の通気孔９２を有し、かつ送風路においてこれら通気孔に空気を通過させることによって整流を行うものである。清掃装置は、送風路から取り外した状態の整流体に対して送風路の上流側または下流側に位置していた端面９０ａにブラシ毛５２を摺接させるブラシ摺接手段５０と、整流体の通気孔に対して通風を行う通風手段とを備え、少なくとも整流体においてブラシ摺接手段のブラシ毛を摺接させた部位に対して通風手段による通風を行うものである。【選択図】        図１５
2007296234.tif 000002
【特許請求の範囲】
【請求項１】
複数の通気孔を有し、かつ送風路においてこれら通気孔に空気を通過させることによって整流を行う整流体の清掃装置であって、
送風路から取り外した状態の整流体に対して送風路の上流側または下流側に位置していた端面にブラシ毛を摺接させるブラシ摺接手段と、
前記整流体の通気孔に対して通風を行う通風手段と
を備え、少なくとも整流体においてブラシ摺接手段のブラシ毛を摺接させた部位に対して通風手段による通風を行うことを特徴とする整流体の清掃装置。
【請求項２】
前記通風手段は、整流体の通気孔に対して空気を噴射させる空気噴射部と、通気孔を通過した後の空気を吸引する空気吸引部とを備えることを特徴とする請求項１に記載の整流体の清掃装置。
【請求項３】
前記通風手段は、空気噴射部から噴射する空気量に対して空気吸引部から吸引する空気量が大きくなるように設定したものであることを特徴とする請求項２に記載の整流体の清掃装置。
【請求項４】
前記ブラシ摺接手段は、軸部材の外周部にブラシ毛が放射状に延在するローラ状を成し、軸部材の軸心回りに回転駆動することにより整流体に対してブラシ毛を摺接させるものであることを特徴とする請求項１に記載の整流体の清掃装置。
【発明の詳細な説明】
【技術分野】
【０００１】
本発明は、例えばオープンショーケースに適用する整流体の清掃装置に関するものである。
【背景技術】
【０００２】
オープンショーケース７０は、図１７に示すように、前面に開口７１ａを有する本体キャビネット７１を備えている。このような本体キャビネット７１の内部には、例えば魚、肉、野菜である生鮮食品等の商品を陳列する複数の商品陳列棚７２と、商品陳列棚７２で陳列している商品に冷却した空気を送る送風手段７６とを設けてある。本体キャビネット７１には、開口７１ａの上方に吹出口７４を形成してあり、且つ開口７１ａの下方に吸込口７５を形成してある。
【０００３】
送風手段７６は、例えば冷却器７９とファン８０と整流体９０とを備えているとともに、冷却器７９、吹出口７４、整流体９０、および吸込口７５を通過しながら本体キャビネット７１の内部を空気が循環する送風路８２を備えている。冷却器７９は、例えば冷凍サイクルの蒸発器であって、本体キャビネット７１の内部を所望の冷却温度に維持するためのものである。ファン８０は、冷却器７９で冷却された空気を吹出口７４に向けて送るものであるとともに、吹出口７４から吹き出されて吸込口７５に入った空気を冷却器７９に向けて送るものである。整流体９０は、例えば図１８に示すように直方体状を成し、図１９に示すように、上下方向に延在する壁体９１によってハニカム状の通気孔９２を複数、有する態様で形成してある。このような整流体９０は、上記吹出口７４に嵌め込むことで本体キャビネット７１に取り付けてある。この整流体９０は、図１７に示すように、吹出口７４と吸込口７５との間にエアカーテンを形成すべく、図１８に示す通気孔９２を通過する空気の整流を行うものである。
【０００４】
次に、このようなオープンショーケース７０の送風手段７６の作用を説明する。オープンショーケース７０では、先ず、冷却器７９で空気を冷却する。冷却した空気は、ファン８０で吹出口７４に送る。吹出口７４に送られた空気は、整流体９０の通気孔９２を通過することで整流され、吹出口７４と吸込口７５との間にエアカーテンを形成する。エアカーテンを形成した空気の一部は、商品陳列棚７２に陳列している商品に送られ、それにより商品が保冷される。エアカーテンを形成し、吸込口７５に入った空気は、ファン８０によって冷却器７９に送られ、冷却器７９で再び冷却される。このように空気を循環することで、オープンショーケース７０は、商品陳列棚７２に陳列している商品の保冷を行う。
【０００５】
オープンショーケース７０では、開口７１ａから空気にゴミが混入する場合があり、その場合にはゴミが第１ファン８０によって整流体９０に吹き付けられることとなる。整流体９０に長期に亘ってゴミ吹き付けられると、図２０に示すように、送風路８２の上流側に位置していた端面９０ａの上部にゴミ９３が堆積するとともに、その端面９０ａの近傍であって通気孔９２の内部の壁体９１にゴミ９３が付着することとなる。ゴミ９３が整流体９０に堆積および付着し、通気孔９２が詰まると所望のエアカーテンを得ることができず、冷却効率の点で不利となる。
【０００６】
このため従来においては、整流体を取り外した後に水を散布して束子で擦ることによってゴミを取り除くようにしている。
【発明の開示】
【発明が解決しようとする課題】
【０００７】
ところで、整流体９０の端面にはバリがある場合が多い。このため、送風路８２において上流側に位置していた端面９０ａのバリに送風の勢いにのったゴミ９３が噛み込んでしまう虞れがある。こうしたゴミ９３は、送風路８２において空気が通過する方向と同じ方向から束子で擦った場合には、ゴミ９３を一層バリに噛み込ませることとなるため取れにくい。しかも、単に束子で擦った場合、ゴミを通気孔９２の中に押し入れる虞れもある。また、塵埃に髪の毛や糸クズのような長いものが混ざったゴミの場合、塵埃から突出した髪の毛等が通気孔９２の奥に入ることもあるため、そのようなゴミを束子で擦るだけで取り除くことは極めて煩雑であった。
【０００８】
本発明は、上記実情に鑑みて、整流体の端面に付着したゴミを容易に取り除くことができる整流体の清掃装置を提供することを目的とする。
【課題を解決するための手段】
【０００９】
上記目的を達成するため、本発明の請求項１に係る整流体の清掃装置は、複数の通気孔を有し、かつ送風路においてこれら通気孔に空気を通過させることによって整流を行う整流体の清掃装置であって、送風路から取り外した状態の整流体に対して送風路の上流側または下流側に位置していた端面にブラシ毛を摺接させるブラシ摺接手段と、前記整流体の通気孔に対して通風を行う通風手段とを備え、少なくとも整流体においてブラシ摺接手段のブラシ毛を摺接させた部位に対して通風手段による通風を行うことを特徴とする。
【００１０】
また、本発明の請求項２に係る整流体の清掃装置は、上述した請求項１において、前記通風手段は、整流体の通気孔に対して空気を噴射させる空気噴射部と、通気孔を通過した後の空気を吸引する空気吸引部とを備えることを特徴とする。
【００１１】
また、本発明の請求項３に係る整流体の清掃装置は、上述した請求項１において、前記通風手段は、空気噴射部から噴射する空気量に対して空気吸引部から吸引する空気量が大きくなるように設定したものであることを特徴とする。
【００１２】
また、本発明の請求項４に係る整流体の清掃装置は、上述した請求項１において、前記ブラシ摺接手段は、軸部材の外周部にブラシ毛が放射状に延在するローラ状を成し、軸部材の軸心回りに回転駆動することにより整流体に対してブラシ毛を摺接させるものであることを特徴とする。
【発明の効果】
【００１３】
本発明によれば、整流体においてブラシ摺接手段のブラシ毛を摺接させた部位に対して通風手段による通風を行うため、ゴミを容易に取り除くことができる。さらに、整流体の通気孔に対し、送風路において空気が通過する方向とは逆向きの通風を行いながら、その通風を行っている部位にブラシ毛を摺接させた場合には、たとえ整流体の端面にバリがあり、そのバリにゴミが噛み込んでいたとしても、そのゴミを容易に取り除くことができる。しかも、塵埃に髪の毛や糸クズのような長いものが混ざったゴミでも通気孔から吸い出しながら掻き取ることができる。
【発明を実施するための最良の形態】
【００１４】
以下、添付図面を適宜参照しながら、本発明にかかる整流体の清掃装置の好適な実施の形態について詳細に説明する。
【００１５】
図１は、上記清掃装置の正面図であり、図２は、上記清掃装置の側面図であり、図３は、上記清掃装置の流体回路図である。この清掃装置は、例えば図１８〜図２１に示し、上述した整流体９０を清掃するものである。整流体９０の構成は、上述したものと同一であるため、説明を省略する。
【００１６】
清掃装置は、図１〜図３に示すように、筐体１０を備えている。筐体１０は、直方体状に形成してあって、その上部にスイッチボックス１１を備えており、その手前側の側部に把手１２を備えており、且つその下部に４つのキャスター１３を備えており、把手を掴んで押すことで移動するよう構成してある。スイッチボックス１１は、直方体状に形成してあって、後述する送風機を駆動状態に成すとともに、駆動源を駆動状態に成すスイッチ１１ａを備えている。筐体１０には、通風手段１５とブラシ摺接手段５０とガイド手段６０とを設けてある。
【００１７】
通風手段１５は、送風機１７と空気噴射部２０と空気吸引部２３と切換弁４０とを備えているとともに、送風機１７と空気吸引部２３とを接続する第１流路１９、空気噴射部２０と切換弁４０とを接続する第２流路３０、切換弁４０と送風機１７とを接続する第３流路３２、および切換弁４０に接続し、且つ筐体１０の外部に配設した第４流路３４を備えている。
【００１８】
送風機１７は、送風機吐出口１７ａと送風機吸入口１７ｂとを備えており、送風機吐出口１７ａから空気を吐き出しつつ、送風機吸入口１７ｂから空気を吸い込むものであって、筐体１０の内部に配設してある。
【００１９】
第１流路１９は、第１ホース部１９ａと第１ダクト部１９ｂと第２ダクト部１９ｃとを備えている。第１ホース部１９ａは、例えば合成樹脂材料を用いることで長尺管状に形成してあって、一方の端部と他方の端部とを備えており、筐体１０の内部に配置してある。第１ダクト部１９ｂは、例えば金属材料を用いることで矩形管状に形成してあって、一方の端部と他方の端部とを備えており、スイッチボックス１１の内部に配置してある。第２ダクト部１９ｃは、例えば金属材料を用いることで長尺管状に形成してあって、一方の端部と他方の端部とを備えており、筐体１０の外部に配置してある。この第２ダクト部１９ｃは、図１に示す筐体１０の奥側に配設したダクト回動軸１９ｃａを中心に回動するようスイッチボックス１１に取り付けてある。第１ホース部１９ａの一方の端部は、図３に示すように、送風機吐出口１７ａを介して送風機１７に取り付けてある。第１ホース部１９ａの他方の端部は、筐体１０の上部であって、スイッチボックス１１の下部に形成した図１に示す第１接続口１０ａを介して第１ダクト部１９ｂの一方の端部と接続してある。筐体１０の内部であって、第２ダクト部１９ｃに接続する第１ダクト部１９ｂの他方の端部近傍には、図３に示すように、空気噴射開口１９ａａを形成してある。第１ダクト部１９ｂの他方の端部は、図２に示すスイッチボックス１１の側部に形成した第２接続口１１ｂを介して第２ダクト部１９ｃの一方の端部に接続してある。第２ダクト部１９ｃの他方の端部であって、筐体１０の上方領域には、空気噴射部２０を形成してある。
【００２０】
空気噴射部２０は、空気を噴射する部分であってノズル２１を有している。ノズル２１は、空気噴射口２２を備えているとともに、その空気噴射口２２から噴射する空気が一様となる不図示の整流片を備えている。空気噴射口２２は、ノズル２１の下部に、一方の幅に対して、その一方の幅と直交する他方の幅が長くなる矩形状に形成してある。より具体的には、図１に示す左右幅Ｗ３の長さに比して、図２に示す奥行幅Ｗ４の長さが短くなる矩形状に形成してある。
【００２１】
空気吸引部２３は、空気を吸引する部分であって、図２、図４および図５に示すように、吸引室２４を備えており、空気噴射部２０の下方領域であって筐体１０の上部に形成してある。吸引室２４は、図５に示すように、筐体１０の上部の板材１０ｂと、複数の板材２５とによって筐体１０の内部に形成された空間である。吸引室２４の上方であって、筐体１０の上部の板材１０ｂには、図４〜図７に示すように、吸引室２４と筐体１０の外部とが連通する態様であって、上記空気噴射口２２に対向する空気吸引口２６が形成してある。吸引室２４の側方の板材２５ａには、第２流路３０を介して吸引室２４と切換弁４０とを接続する開口２５ｂを形成してある。
【００２２】
第２流路３０は、例えば第２ホース部３０ａで構成してある。第２ホース部３０ａは、例えば合成樹脂材料を用いることで長尺管状に形成してあって、一方の端部と他方の端部とを備えており、図３に示すように、筐体１０の内部に配置してある。このような第２ホース部３０ａの一方の端部は、上記開口２５ｂを介して板材２５ａに取り付けてある。第２ホース部３０ａの他方の端部は、切換弁４０に取り付けてある。
【００２３】
第３流路３２は、例えば第３ホース部３２ａで構成してある。第３ホース部３２ａは、例えば合成樹脂材料を用いることで長尺管状に形成してあって、一方の端部と他方の端部とを備えており、筐体１０の内部に配置してある。このような第３ホース部３２ａの一方の端部は、切換弁４０に取り付けてある。第３流路３２の他方の端部は、送風機吸入口１７ｂを介して送風機１７に取り付けてある。
【００２４】
第４流路３４は、例えば第４ホース部３４ａで構成してある。第４ホース部３４ａは、例えば合成樹脂材料を用いることで長尺管状に形成してあって、一方の端部と他方の端部とを備えており、筐体１０の外部に配置してある。このような第４ホース部３４ａの一方の端部は、後述する第３弁部接続口を介して切換弁４０に取り付けてある。図８に示す第４ホース部３４ａの他方の端部は、後述するように清掃装置を掃除機として使用する場合に、ゴミを吸引する吸引部３４ｂとなる。
【００２５】
切換弁４０は、図３に示すように、第１弁部４１と、第２弁部４２と、それらの弁部４１，４２を接続位置または非接続位置に切り換える切換レバー４３とを備えている。第１弁部４１には、第１弁部接続口４０ａと第２弁部接続口４０ｂと第３弁部接続口４０ｃとを形成してある。このような第１弁部４１は、その内部で行き止まりとなり、第１弁部接続口４０ａに通じる第１通路４４と、第２弁部接続口４０ｂと第３弁部接続口４０ｃとを接続する第２通路４５とを備えている。第２弁部４２には、第４弁部接続口４０ｄと第５弁部接続口４０ｅとを形成してある。このような第２弁部４２は、第４弁部接続口４０ｄと第５弁部接続口４０ｅとを通じる第３通路４６を備えている。切換弁４０は、上記第３弁部接続口４０ｃが筐体１０の外部に位置する一方、第１弁部接続口４０ａと第２弁部接続口４０ｂと第４弁部接続口４０ｄと第５弁部接続口４０ｅとが筐体１０の内部に位置するよう筐体１０の内部と筐体１０の外部とに亘るよう清掃装置に配置してある。切換レバー４３は、図１および図２に示すように、筐体１０の手前側の側部に取り付けてある。
【００２６】
このような切換弁４０の作用を説明する。切換弁４０は、切換レバー４３を操作することで図３に示すように、第１弁部４１を接続位置に、且つ第２弁部４２を非接続位置に配置した場合には第３流路３２と第４流路３４とを接続する一方、切換レバー４３を操作することで図９に示すように、第２弁部４２を接続位置に、且つ第１弁部４１を非接続位置に配置した場合には第２流路３０と第３流路３２とを接続する。
【００２７】
ブラシ摺接手段５０は、図５に示すように、軸部材５１とブラシ毛５２と駆動源とを備えている。軸部材５１は、略水平方向に延在する軸心５１ａを備え、円筒状を成している。ブラシ毛５２は、例えばナイロン等の合成樹脂材料を用いてその横断面の直径が０．１ｍｍ〜０．５ｍｍと成るよう形成してあり、軸部材５１の横断面において、軸心５１ａから放射状に延在する態様で、軸部材５１の外周部に取り付けてある。従って、ブラシ摺接手段５０は、軸部材５１の外周にブラシ毛５２が放射状に延在するローラ状を成している。このような構成を有するブラシ摺接手段５０は、例えばブラシ毛５２の先端が、空気吸引口２６から筐体１０の外部に１０ｍｍ突出する態様であって、上記空気吸引部２３に位置するよう回転自在となる態様で筐体１０に取り付けてある。駆動源は、例えばモータ等であって、駆動状態に成した場合、軸部材５１を軸心５１ａ回りに回転駆動するものである。このような駆動源は、例えばインバータを備えており、軸部材５１の単位時間当たりの回転数を増減できるよう構成してある。
【００２８】
ガイド手段６０は、空気噴射部２０と空気吸引部２３との間を、筐体１０の奥行方向に整流体９０がスライド移動するよう案内するものであって、筐体１０の奥行幅の方向に長尺状となる態様で形成してあり、図１０および図１１に示すように、筐体１０の上部の板材１０ｂに配設した２本で一組のガイドレール６１，６２と、それらのガイドレール６１，６２に嵌り込む整流体載置部材６３とを備えている。一方のガイドレール６１は、上下方向に延在する第１垂直部６１ａと、左右幅方向に延在する第１水平部６１ｂとを備えており、第１垂直部６１ａと第１水平部６１ｂとが略Ｌ字状となるよう形成してある。他方のガイドレール６２は、上下方向に延在する第２垂直部６２ａと、左右幅方向に延在する第２水平部６２ｂと、上下方向に延在する第３垂直部６２ｃと、左右幅方向に延在する第３水平部６２ｄとを備えており、第２垂直部６２ａと第２水平部６２ｂとが連結し、第２水平部６２ｂと第３垂直部６２ｃとが連結し、且つ第３垂直部６２ｃと第３水平部６２ｄとが連結するよう形成してある。しかも、これらのガイドレール６１，６２は、整流体載置部材６３の幅に対応する間隔を有し、且つ第１水平部６１ｂと第３水平部６２ｄとが近づくよう筐体１０の上部の板材１０ｂにそれぞれ取り付けてある。なお、ガイドレール６１は、図２および図１０に示すように、筐体１０の奥行方向の中央から奥側半分に形成してあり、ガイドレール６２における第３水平部６２ｄは、図１０に示すように、筐体１０の奥行方向の中央から奥側半分に形成してある。
【００２９】
整流体載置部材６３は、整流体９０を載置するものであって、図１０および図１１に示すように、底壁６３ａと第１側壁６３ｂと第２側壁６３ｃと第１接触部６３ｄと第２接触部６３ｅとを備えており、整流体９０を載置する載置空間６３ｆを形成するよう横断面がコ字状を成す態様で底壁６３ａの両端部に、上下方向に延在する第１側壁６３ｂおよび上下方向に延在する第２側壁６３ｃをそれぞれ配設してある。第１接触部６３ｄは、一方のガイドレール６１に接触する部分であって、横断面がＬ字状を成し、第１側壁６３ｂの上端部に配設してある。第２接触部６３ｅは、他方のガイドレール６２に接触する部分であって、横断面がＬ字状を成し、第２側壁６３ｃの上端部に配設してある。
【００３０】
このような構成を有する清掃装置には、図５〜図７に示すように、ダクト保持手段６５を配設してある。ダクト保持手段６５は、第２ダクト部１９ｃを保持するものであって、第２ダクト部１９ｃに取り付けた棒状部材６６と、第２ダクト部１９ｃに取り付けた板状部材６７と、他方のガイドレール６２の上部に取り付けた弾性部材６８とを備えている。ダクト保持手段６５は、板状部材６７と弾性部材６８とが接触した場合、略水平に延在する態様で第２ダクト部１９ｃを保持するよう構成してあるとともに、整流体９０を清掃する場合、その整流体９０に棒状部材６６が接触することで整流体９０と空気噴射部２０とが一定の間隔を確保する態様で第２ダクト部１９ｃを保持するよう構成してある。
【００３１】
次に、整流体９０を上記清掃装置によって清掃する場合を以下に説明する。ここでは、清掃装置のスイッチ１１ａはＯＦＦになっており、且つ、図９に示すように、切換弁４０によって第２流路３０と第３流路３２とが接続されているものとして説明する。
【００３２】
先ず、本体キャビネット１０から取り外した状態の整流体９０に対して送風路８２の上流側に位置していた端面９０ａが下方となる態様であって、且つ通気孔９２を形成する壁体９１が上下方向に延在するよう、整流体９０を整流体載置部材６３の上に載置し、且つその整流体９０を空気噴射部２０と空気吸引部２３との間に配置する。このとき、図１２および図１３に示すように、ダクト保持手段６５の棒状部材６６によって第２ダクト部１９ｃが回動することで、整流体９０と空気噴射部２０との間に一定の間隔が確保される。
【００３３】
次に、スイッチ１１ａをＯＮする。スイッチ１１ａをＯＮすると、送風機１７が駆動状態に成るとともに駆動源が駆動状態に成る。
【００３４】
駆動状態に成った送風機１７は、送風機吐出口１７ａから空気を吐き出しつつ、送風機吸入口１７ｂから空気を吸い込む。送風機吐出口１７ａから吐き出された空気は、図１４に示す第１流路１９を通過した後、空気噴射部２０から整流体９０の通気孔９２に高速で噴射されることとなる。上記空気の噴射による通風の方向は、図１５および図２０に示すように、送風路８２において空気が通過する方向（送風方向）とは逆向きのものである。
【００３５】
一方、送風機吸入口１７ｂから空気を吸い込むことによって、空気吸引部２３で空気が吸引されることとなる。空気噴射部２０の空気噴射口２２と空気吸引部２３の空気吸引口２６とが対向するよう清掃装置を構成してあり、且つ通気孔９２を形成する壁体９１が上下方向に延在するよう整流体９０を載置してあるため、空気噴射部２０から噴射された空気は上方から下方に向けて移動し、通気孔９２を通過した高速の空気が空気吸引部２３で吸引されることとなる。
【００３６】
さらに、駆動源が駆動状態になることで、軸部材５１が軸心５１ａ回りに回転駆動し、例えば図１５に示すように、筐体１０の外部に突出したブラシ毛５２が、筐体１０の奥側から手前側に移動するよう軸部材５１を回転することで、ブラシ毛５２が整流体９０に摺接することとなる。しかも、ブラシ摺接手段５０は、空気吸引部２３に位置するよう筐体１０に取り付けてあるため、通風手段１５による通風を行いながら、送風路８２の上流側に位置していた端面９０ａにブラシ毛５２が摺接する。
【００３７】
従って、この清掃装置によれば、整流体９０におけるブラシ摺接手段５０のブラシ毛５２を摺接させた部位に対して通風手段１５による通風を行うため、整流体９０に付着したゴミ９３を容易に取り除くことができる。しかも、通風手段１５によって、整流体９０の通気孔９２に対し、送風路８２において空気が通過する方向とは逆向きの通風を行いながら、その通風を行っている部位にブラシ毛５２を摺接させた場合には、たとえ整流体９０の端面９０ａにバリがあり、そのバリにゴミ９３が噛み込んでいたとしても、そのゴミを容易に取り除くことができる。さらに、塵埃に髪の毛や糸クズのような長いものが混ざったゴミでも通気孔９２から吸い出しながら掻き取ることができる。この場合、水を使用する必要がなく、当然に、水を乾燥させる必要もないため、短時間で整流体９０の清掃を行うことができる。
【００３８】
加えて、この清掃装置には、第２ダクト部１９ｃに接続する第１ダクト部１９ｂの他方の端部近傍に空気噴射開口１９ａａを形成し、空気噴射部２０から噴射する空気量に対して空気吸引部２３から吸引する空気量が大きくなるよう通風手段１５を構成してあるため、ゴミ９３が清掃装置の外部に飛散することを防止することができる。
【００３９】
また、整流体９０の端面９０ａと反対側の端面を清掃する場合には、整流体９０を反対に設置して上述と同様の操作を行えば良い。具体的には、本体キャビネット１０から取り外した状態の整流体９０に対して送風路８２の下流側に位置していた端面が下方となる態様であって、且つ通気孔９２を形成する壁体９１が上下方向に延在するよう整流体９０を整流体載置部材６３の上に載置して上述と同様の操作を行えば良い。
【００４０】
なお、上記清掃装置において、第２弁部４２を接続位置に、且つ第１弁部４１を非接続位置に配置してあった切換弁４０を切換レバー４３の操作によって、図１６に示すように、第１弁部４１を接続位置に、且つ第２弁部４２を非接続位置に配置することで、第３流路３２と第４流路３４とを接続する。この状態で、送風機１７を駆動状態に成せば、第４ホース部３４ａの他方の端部の吸引部３４ｂからゴミを吸引することが可能となる。よって、清掃装置を掃除機としても使用することができる。
【００４１】
また、整流体９０に付着しているゴミ９３の量が比較的多い場合には、軸部材５１の単位時間当たりの回転数を増加するようインバータで駆動源を制御すれば、ゴミ９３を取り除く際の作業性を向上することができる。
【００４２】
なお、上述した実施の形態には、整流体９０の通気孔９２に空気のみを通過させる通風手段１５を用いて説明した。しかし、この発明はそれに限られず、空気に水を混ぜ、通気孔９２に水を含んだ空気を通過させて整流体９０からゴミ９３を取り除いても良い。
【００４３】
さらに、上述した実施の形態には、清掃装置で、ハニカム状の複数の通気孔９２を有する整流体９０を清掃するもので説明した。しかし、この発明はそれに限られず、上記清掃装置を用いて、例えば矩形状の複数の通気孔を有するルーバータイプの整流体を清掃しても良い。
【００４４】
加えて、上述した実施の形態には、空気噴射部２０と空気吸引部２３とを備える通風手段１５を備える清掃装置で説明した。しかし、この発明はそれに限られず、空気噴射部２０、または空気吸引部２３のいずれか一方を備えれば良い。
【００４５】
さらに、上述した実施の形態には、略水平方向に延在する軸心５１ａを備える軸部材５１を備える清掃装置で説明した。しかし、この発明はそれに限られず、通風手段１５による通風を行っている部位にブラシ毛５２が摺接するようブラシ摺接手段５０を設ければ良い。
【図面の簡単な説明】
【００４６】
【図１】本発明にかかる整流体の清掃装置を示す正面図である。
【図２】図１に示した清掃装置を示す側面図である
【図３】図１に示した清掃装置の流体回路図である。
【図４】図１に示した清掃装置が備えるブラシ摺接手段の正面図である。
【図５】図４における矢視Ａ−Ａからの断面図である。
【図６】図５に示したブラシ摺接手段を一方の側方から見た斜視図である。
【図７】図５に示したブラシ摺接手段を他方の側方から見た斜視図である。
【図８】図１に示した清掃装置が備える第４ホース部を示す斜視図である。
【図９】図１に示した清掃装置が備える切換レバーによって、第２流路と第３流路とを接続した場合を示す流体回路図である。
【図１０】図１に示した清掃装置が備えるガイド手段を示す斜視図である。
【図１１】図１０における矢視Ｂ−Ｂからの断面図である。
【図１２】図１に示した清掃装置で整流体に付着したゴミを取り除いている場合を示す説明図である。
【図１３】図１２における矢視Ｄ−Ｄからの断面図である。
【図１４】図１に示した清掃装置で、整流体に付着したゴミを取り除いている場合を示す流体回路図である。
【図１５】図１に示した清掃装置で、整流体に付着したゴミを取り除いている場合を示す説明図である。
【図１６】図１に示した清掃装置を掃除機として使用している場合を示す流体回路図である。
【図１７】清掃装置で清掃する整流体を適用したオープンショーケースを示す断面図である。
【図１８】図１７に示すオープンショーケースが備える整流体を示す斜視図である。
【図１９】図１８における矢視Ｃ−Ｃからの断面図である。
【図２０】ゴミが付着した整流体を示す説明図である。
【符号の説明】
【００４７】
１５    通風手段
２０    空気噴射部
２３    空気吸引部
５０    ブラシ摺接手段
５１    軸部材
５２    ブラシ毛
８２    送風路
９０    整流体
９２    通気孔
【図１】
2007296234.tif 000003
【図２】
2007296234.tif 000004
【図３】
2007296234.tif 000005
【図４】
2007296234.tif 000006
【図５】
2007296234.tif 000007
【図６】
2007296234.tif 000008
【図７】
2007296234.tif 000009
【図８】
2007296234.tif 000010
【図９】
2007296234.tif 000011
【図１０】
2007296234.tif 000012
【図１１】
2007296234.tif 000013
【図１２】
2007296234.tif 000014
【図１３】
2007296234.tif 000015
【図１４】
2007296234.tif 000016
【図１５】
2007296234.tif 000017
【図１６】
2007296234.tif 000018
【図１７】
2007296234.tif 000019
【図１８】
2007296234.tif 000020
【図１９】
2007296234.tif 000021
【図２０】
2007296234.tif 000022